(57)【要約】      （修正有）【課題】一種の拡大表示装置を提供する。【解決手段】凹面鏡の虚像結像原理を利用し、ベースと、アームセットと、フリップフレーム３と、反射モジュール４と、拡大モジュール５とを含む拡大表示装置であり、物体は数倍に拡大され、物体の距離よりも数倍長い距離で画像化され、目は２メートル離れた視距離のものを見ることで、近距離での目の過度な使用を軽減し、視覚疲労を軽減するため、弾性力を使用して調整角度をサポートおよび固定し、画像の揺れやずれを回避し、これにより、読み取りの視覚効果と折り畳みの利便性が向上する。【選択図】図２
0003225658.tif 000002
【実用新案登録請求の範囲】
【請求項１】
一種の拡大表示装置であり、ベース、アームセット、フリップフレーム、反射モジュールおよび拡大モジュールを備え、
前記ベースは、その上部には支柱が設けられ、
前記アームセットは、第１アーム、第２アーム、第１回転軸セット、第２回転軸セット、および第３回転軸セットを含み、前記第１アームの一端は前記支柱の一端に連結され、前記第１アームの他端は前記第１回転軸セットに連結され、前記第２アームの一端は前記第２回転軸セットに連結され、前記第２アームの他端は前記第１回転軸セットに連結され、
前記第２回転軸セットは前記第３回転軸セットに枢動可能に接続され、
前記フリップフレームは第４回転軸セットと第５回転軸セットを含み、
前記反射モジュールは反射シートを含み、前記反射シートは投影画像を受け取り、前記投影画像を反射し、前記第４回転軸セットは、前記反射モジュールの一端に枢動可能に接続され、
前記拡大モジュールは拡大シートを含み、前記拡大シートは前記反射シートの反射画像を受け取り、前記反射画像を表示および拡大する。前記第５回転軸セットは、前記拡大モジュールの一端に枢動可能に接続され、前記第３回転軸セットは、前記拡大モジュールに枢動可能に接続されることを特徴とする、拡大表示装置。
【請求項２】
前記第１アームは、外側に第１シースをさらに備え、前記第２アームは、外側に第２シースをさらに備えていることを特徴とする、請求項１に記載の拡大表示装置。
【請求項３】
前記第４回転軸セットは第１ねじりバネを含み、前記第１ねじりバネは、前記反射モジュールを反転させる弾性力を提供し、前記第５回転軸セットは第２ねじりバネを含み、前記第２ねじりバネは前記フリップフレームを反転させる弾性力を提供することを特徴とする、請求項１に記載の拡大表示装置。
【請求項４】
前記拡大モジュールには第１バネが設けられ、前記第１バネの一端は前記拡大モジュールの背面に固定され、前記第１バネの他端は前記第３回転軸セットに固定され、前記第１バネは、角度を固定する弾性力を提供することを特徴とする、請求項１に記載の拡大表示装置。
【請求項５】
前記拡大モジュールにはバックルが付いており、前記バックルは前記反射モジュールと係合していることを特徴とする、請求項１に記載の拡大表示装置。
【請求項６】
前記第１アームは、第１弾性モジュールをさらに含み、前記第１弾性モジュールは、角度を固定する弾性力を提供することを特徴とする、請求項１に記載の拡大表示装置。
【請求項７】
前記第２アームは、第２弾性モジュールをさらに含み、前記第２弾性モジュールは、角度を固定する弾性力を提供することを特徴とする、請求項１に記載の拡大表示装置。
【請求項８】
前記第３回転軸セットは、回転軸ソケットを含み、前記回転軸ソケットには、水平ジョイントと水平軸穴が設けられている。前記水平ジョイントは、前記拡大モジュールの水平回転のための回転軸中心を形成し、前記第２回転軸セットに枢動可能に接続されている。前記水平軸穴は、前記回転軸ソケットに枢動可能に接続されており、前記拡大モジュールの垂直方向の角度を調整する回転軸の中心を形成することを特徴とする、請求項１に記載の拡大表示装置。
【請求項９】
前記フリップフレームには照明ランプが設けられていることを特徴とする、請求項１に記載の拡大表示装置。
【請求項１０】
前記拡大モジュールには、照明に電力を供給するためのＵＳＢスロットが設けられていることを特徴とする、請求項１に記載の拡大表示装置。
【考案の詳細な説明】
【技術分野】
【０００１】
本考案は、拡大表示装置に関し、特に、近距離での過度な目の使用を緩和することができる拡大表示装置に関する。視覚的な疲労を軽減し、スペースの利用を満たすために、位置を調整し、弾性力を使用して調整角度を支えて固定し、画像の揺れやずれを回避する。これにより、読み取りの視覚効果と格納の利便性が向上する。
【背景技術】
【０００２】
近視の主な原因の５％は遺伝因子であり、加えて長時間、近距離で目を使用することが原因だと医学的に証明されている。日常生活の中で長時間、近距離で目を使用することといえば、テレビを見ることであるが、視界距離が２メートルまたは３メートルを超える場合、近距離で見ているとは言えない。食事、着替えなどは近距離で見る必要があるが、それは長時間的な凝視ではない。長時間の近距離での目の主な活動は読み書きである。近年、携帯電話、タブレット、コンピューターを見る回数が増加している。文字は、人類の文明生活への参入の主要な鍵であるが、文字の使用は人間の目の習慣も変えた。文字が発明されていなかった前の人類は、めったに長時間的に近距離でものを見ることはなかったので、近視は文明を持っていなかった古代の人間にとっては発生率の非常に低い視覚問題である。これはまた、近視遺伝子を持つ人間が進化論によって淘汰されない理由を説明する。人間が文字を発明した後、近視は少数の文盲でない人々の間で広がり、教育の普及に伴い、近視も一般的になった。近年、ほとんどの人はスマートフォンやタブレットを持っているため、人間の近視は徐々に一般的になった。
【０００３】
眼科医は、本を読み書き時には３０ｃｍの距離を維持し、コンピューターを見るときには６０ｃｍの距離に保つことをしばしば勧めている。３０ｃｍ、６０ｃｍは決まった数字ではないが、目が健康であるためには、この距離でなければならない。また、画面と本のテキストのサイズも関係があるが、遠く離れていると視野が明確ではないので、そのような提案がある。マウスを使用するコンピューターなど、制限なしに距離を調整できる場合、画面は本よりも遠くなる可能性があり、テキストパターンは拡大できる。本であれコンピューターの画面であれ、距離が遠くなればなるほど、目の健康は良くなる。
【０００４】
近くの物体を見る時間を短くすることは、書くのに費やす時間を減らすことが必要であることを意味し、それは学業成績の後退のリスクをもたらす可能性がある。携帯電話で遊ぶという子供の余暇を剥奪することも非現実的であり、困難である。学業成績と余暇の選択に最も影響を与えないのは、読み書きの視覚的距離を伸ばすことである。ただし、フォントと画像を拡大しない限り、視覚的距離を伸ばした後の目の認識能力は低下してしまい、目の疲労を引き起こしやすくなる。また、視覚的距離を遠くすることも両手操作の範囲を超える場合がある。自然な読み取りおよび書き込み距離の制限は約４０ｃｍであるため、視覚的距離を伸ばすには、新しいテクノロジーを使用して支援する必要がある。
【０００５】
上記の問題を解決するために、業界は様々な解決策を継続的に提案している。関連技術は、台湾特許第Ｍ５５０５７２号、第Ｍ５３５８１１号、第Ｍ５３６３６２号、第Ｍ５３６３６２号、第Ｍ５４１４０４号、第Ｍ５４８２７５号、第Ｉ５１８３６９号、第Ｉ４４４６５７号、第Ｉ６０８２４９号、第Ｉ５６３３６１号の明細書、第２９８６２５号公報、中国特許第１０２６９２７１０Ｂ号、第２０３６０８２８２Ｕ号、第２０３０５７２４９Ｕ号、第２０１０６０３１８Ｙ号の明細等で参考することができる。
【０００６】
上記の先行特許において、実施における視覚効果のいくつかは理想的ではなく、主な理由は光学部品の構成に関係している。それらのいくつかはより視覚的に効果的であり、典型的な代表はＣＮ１０２６９２７１０Ｂであり、青少年の近視の発達を制御するための長距離読書システム（以下引用例と呼ぶ）である。この引用例の光路構造は、図１に示すように、一つのブラケット６１の上方に、レンズ６２と、一つの光源６３と、第1平面鏡６４と、この第1平面鏡６４の反射光を受信する分光鏡６５と、一つの凹面鏡６６とが順に配置されている。第２平面鏡６７およびスクリーン６８は、分光鏡６５の上方に配置され、第２平面鏡６７は、分光鏡６５の反射線を受け、スクリーン６８は、第２平面鏡６７の反射線を受ける。スクリーン６８は、第２平面鏡６７の前面の反射光に対して垂直である。分光鏡６５と第２平面鏡６７の中心線上には、それぞれ分光鏡６５１と第２平面鏡ノブ６７１が配置されている。分光鏡６５１と第２平面鏡ノブ６７１は、鏡面角度を調整するために使用される。上記の光路構造の構成を使用することで、文字や図形が５メートル離れたところにいることを人々に感じさせることができ、近距離での過度な目の使用に起因する視覚疲労を効果的に軽減し、それにより近視の進行を遅らせる。引用例はより良い視覚効果を得ることができるが、それは固定タイプのデバイスであり、ブラケットの格納式構造がないため、スペース要件を満たせず、使用位置を調整できない。したがって、格納と使用には依然として不便がある。
【先行技術文献】
【特許文献】
【０００７】
【特許文献１】台湾特許第Ｍ５５０５７２号明細書
【特許文献２】台湾特許第Ｍ５３５８１１号明細書
【特許文献３】台湾特許第Ｍ５３６３６２号明細書
【特許文献４】台湾特許第Ｍ５４１４０４号明細書
【特許文献５】台湾特許第Ｍ５４８２７５号明細書
【特許文献６】台湾特許第Ｉ５１８３６９号明細書
【特許文献７】台湾特許第Ｉ４４４６５７号明細書
【特許文献８】台湾特許第Ｉ６０８２４９号明細書
【特許文献９】台湾特許第Ｉ５６３３６１号明細書
【特許文献１０】台湾特許第２９８６２５号公報
【特許文献１１】中国特許第１０２６９２７１０Ｂ号明細書
【特許文献１２】中国特許第２０３６０８２８２Ｕ号明細書
【特許文献１３】中国特許第２０３０５７２４９Ｕ号明細書
【特許文献１４】中国特許第２０１０６０３１８Ｙ号明細書
【考案の概要】
【考案が解決しようとする課題】
【０００８】
そこで、度重なる研究・改良を経て、本考案者は、拡大表示装置を完成させた。すなわち、本考案の目的は、近距離での目の過度な使用を軽減することができ、それによって視覚疲労を軽減し、スペースの利用にあわせて、位置を調整することができ、画像の揺れまたはシフトを回避することができる拡大表示装置を提供することである。視覚効果と格納の利便性を向上させる。
【課題を解決するための手段】
【０００９】
上記目的を達成するために、本考案の拡大表示装置は、ベース、アームセット、フリップフレーム、反射モジュールおよび拡大モジュールを備える。
【００１０】
前記ベースは、その上部には支柱が設けられている。
【００１１】
前記アームセットは、第１アーム、第２アーム、第１回転軸セット、第２回転軸セット、および第３回転軸セットを含む。前記第１アームの一端は前記支柱の一端に連結され、前記第１アームの他端は前記第１回転軸セットに連結されている。前記第２アームの一端は前記第２回転軸セットに連結され、前記第２アームの他端は前記第１回転軸セットに連結され、前記第２回転軸セットは前記第３回転軸セットに枢動可能に接続される。
【００１２】
前記フリップフレームは第４回転軸セットと第５回転軸セットを含む。
【００１３】
前記反射モジュールは反射シートを含み、前記反射シートは投影画像を受け取り、前記投影画像を反射し、前記第４回転軸セットは、前記反射モジュールの一端に枢動可能に接続されている。
【００１４】
前記拡大モジュールは拡大シートを含み、前記拡大シートは前記反射シートの反射画像を受け取り、前記反射画像を表示および拡大する。前記第５回転軸セットは、前記拡大モジュールの一端に枢動可能に接続され、前記第３回転軸セットは、前記拡大モジュールに枢動可能に接続される。
【００１５】
前記第１アームは、外側に第１シースをさらに備えている。
【００１６】
前記第２アームは、外側に第２シースをさらに備えている。
【００１７】
前記第４回転軸セットは第１ねじりバネを含み、前記第１ねじりバネは、前記反射モジュールを反転させる弾性力を提供する。前記第５回転軸セットは第２ねじりバネを含み、前記第２ねじりバネは前記フリップフレームを反転させる弾性力を提供する。
【００１８】
前記拡大モジュールには第１バネが設けられ、前記第１バネの一端は前記拡大モジュールの背面に固定され、前記第１バネの他端は前記第３回転軸セットに固定される。前記第１バネは、角度を固定する弾性力を提供する。
【００１９】
前記拡大モジュールにはバックルが付いており、前記バックルは前記反射モジュールと係合している。
【００２０】
前記第１アームは、第１弾性モジュールをさらに含み、前記第１弾性モジュールは、角度を固定する弾性力を提供する。
【００２１】
前記第２アームは、第２弾性モジュールをさらに含み、前記第２弾性モジュールは、角度を固定する弾性力を提供する。
【００２２】
前記第３回転軸セットは、回転軸ソケットを含み、前記回転軸ソケットには、水平ジョイントと水平軸穴が設けられている。前記水平ジョイントは、前記拡大モジュールの水平回転のための回転軸中心を形成し、前記第２回転軸セットに枢動可能に接続されている。前記水平軸穴は、前記回転軸ソケットに枢動可能に接続されており、前記拡大モジュールの垂直方向の角度を調整する回転軸の中心を形成する。
【００２３】
前記フリップフレームには照明ランプが設けられている。
【００２４】
前記拡大モジュールには、照明に電力を供給するためのＵＳＢスロットが設けられている。
【考案の効果】
【００２５】
本考案は近距離での目の過度な使用を軽減し、視覚疲労を効果的に軽減し、空間の要求に応じて読み取り位置を調整できる。弾性力を使用して調整角度をサポートおよび固定し、画像の揺れやずれを防ぎ、読みやすい視覚効果と格納の利便性を得ることができる。
【図面の簡単な説明】
【００２６】
【図１】従来の特許の光路構成の概略図である。
【図２】本考案の立体分解図である。
【図３】本考案の展開している立体模式図（１）である。
【図４】本考案の展開している立体模式図（２）である。
【図５】本考案の収め合わせる部分の立体模式図である。
【図６】本考案の反射モジュールと拡大モジュールが係合している部分の模式図である。
【図７】本考案の実施例における展開する操作の概略図である。
【図８】本考案の拡大モジュールを水平回転した時の局部模式図である。
【考案を実施するための形態】
【００２７】
図２、３、４に示すのは、本考案拡大表示装置の実施例であり、以下のものを含む。
【００２８】
ベース１は、その上部には支柱１１が設けられている。
【００２９】
アームセット２は、第１アーム２１、第２アーム２２、第１回転軸セット２３、第２回転軸セット２４、および第３回転軸セット２５を含む。前記第１アーム２１の一端は前記支柱１１の一端に連結され、前記第１アーム２１の他端は前記第１回転軸セット２３に連結されている。前記第２アーム２２の一端は前記第２回転軸セット２４に連結され、前記第２アーム２４の他端は前記第１回転軸セット２３に連結され、前記第２回転軸セット２４は前記第３回転軸セット２５に枢動可能に接続される。
【００３０】
フリップフレーム３は第４回転軸セット３１と第５回転軸セット３２を含む。
【００３１】
反射モジュール４は、凸面鏡である反射シート４１を備えており、反射シート４１は、投影画像を受け取り、投影画像を反射する。第４回転軸セット３１は、反射モジュール４の一端に設けられた第１軸穴４２の１つに枢動可能に接続されている。第４回転軸セット３１は第１ねじりバネ３１１を含み、第１ねじりバネ３１１は反射モジュール４を反転させる弾性力を提供し、反射モジュール４を外側に向けて反転させる（図６に示す）。
【００３２】
拡大モジュール５は、拡大シート５１を含み、拡大シート５１は凹面鏡である。虚像イメージングの原理は、凹面鏡によるイメージングである。凹面鏡のイメージング公式は、1 / p + 1 / q = 1 / fである。（fは焦点距離、qは物体距離、pは画像距離）一般に、倍率によって虚像を拡大したり、距離によって虚像をより遠くにしたりすることができる。拡大シート５１は、反射シート４１の反射画像を受け取り、拡大された反射画像を表示する。第３回転軸セット２５は、拡大モジュール５の回転軸シート５５に枢動可能に接続され、回転軸シート５５は、拡大モジュール５の背面または縁部に配置される。第５回転軸セット３２は、拡大モジュール５の一端に設けられた第２軸穴５１１の１つに枢動可能に接続され、第５回転軸セット３２は第２ねじりバネ３２１を含み、第２ねじりバネ３２１は、フリップフレーム３を反転させる弾性力を提供し、フリップフレーム３が外側に回転するようにする（図６に示す）。
【００３３】
図５に示すように、本考案の拡大表示装置では、拡大モジュール５にはバックル５２が設けられ、バックル５２は反射モジュール４と係合して拡大表示装置を折り畳むことを提供する（例えば 図６に示す）。
【００３４】
上記第３回転軸セット２５は、回転軸ソケット２５１を備え、回転軸ソケット２５１には、水平ジョイント２５２と水平軸穴２５３が設けられている。水平ジョイント２５２は、第２回転軸セット２４の第３軸穴２４１に枢動可能に接続され、第３軸穴２４１は、回転軸中心を形成するために第１ボルト２４２によって開けられ、拡大モジュール５が水平に回転できることに供する（図７、８に示す）。水平軸穴２５３は回転軸シート５５に枢動可能に接続され、回転軸中心を形成するために第２ボルト２５４によって形成され、拡大モジュール５はその角度を調整するために垂直に向けることができる（図５、７に示す）。
【００３５】
図４および図５に示すように、拡大モジュール５には、第１バネ５３が設けられている。第１バネ５３の一端は拡大モジュール５の背面に固定され、第１バネ５３の他端は第３回転軸セット２５に固定されている。第１バネ５３は、角度が固定される弾性力を提供し、拡大表示装置が揺れるのを防ぐ。
【００３６】
図７に示すように、第１アーム２１は、第１弾性モジュール２１１をさらに含み、第１弾性モジュール２１１は、拡大表示装置の揺れを回避する、角度に固定された弾性力を提供する。
【００３７】
上記第２アーム２２は、第２弾性モジュール２２１をさらに含み、第２弾性モジュール２２１は、拡大表示装置の揺れを回避する、角度に固定された弾性力を提供する。
【００３８】
上記フリップフレーム３には、読み取りの視覚効果を確保するのに十分な光源を提供するための照明ランプ３３が設けられている。
【００３９】
上記拡大モジュール５には、ＵＳＢ電源コードＡを接続して照明ランプ３３に電力を供給するためのＵＳＢスロット５４が設けられている。
【００４０】
上記第１アーム２１は、さらに外側に第１シース２１０を備えている。
【００４１】
上記第２アーム２２は、さらに外側に第２シース２２０を備えている。
【００４２】
本考案の拡大モジュール５および反射モジュール４は、第４回転軸セット３１および第５回転軸セット３２を介して閲覧位置に自動的に展開でき、ユーザーは拡大された空中結像画像を見ることができる。本考案の実施方法は、物理学の光学原理を使用して、凹面鏡の虚像を結像し、対象物（書籍、３Ｃスクリーン、観察対象物など）を数倍拡大し、対象物距離の数倍の距離で結像することである。この光学技術を使用すると、ユーザーが近くの物体を長時間見る問題を解決できるため、本を読んだり、携帯電話を再生したりすると、目は２メートル離れた視距離で拡大した画像を見ることができる。画像の拡大倍率は数倍から数十倍になり、ユーザーの視覚疲労を大幅に軽減できる。第１バネ５３は、拡大モジュール５の背面と第３回転軸セット２５との間に固定されており、その弾性力により角度固定の支持を提供する。同様に、第１弾性モジュール２１１および第２弾性モジュール２２１は、角度調整後の固定及び支持を達成するために、それぞれの弾性力により、第１アーム２１および第２アーム２２の角度固定の支持を提供する。画像の揺れやずれを防ぐために、視覚の過度な使用を軽減し、近距離での視覚疲労を軽減し、より良い読み取りの視覚効果を効果的に維持する。
【００４３】
図５、６は本考案拡大表示装置の折り畳みの概略図である。反射モジュール４は、折り畳み中に拡大モジュール５に結合されることだけが必要であり、その後、バックル５２を利用して反射モジュール４に係合して固定された後、折り畳み動作は迅速に完了することができる。
【００４４】
要約すると、本考案は、凹面鏡の虚像結像原理を利用して物体を数倍拡大し、物体距離よりも数倍長い距離で結像する拡大表示装置を提供する。目に見えるのは、２メートル先の視距離と拡大画像であり、画像の拡大倍率は数倍から数十倍になる可能性があり、近距離での目の過度な使用を軽減し、視覚疲労を効果的に軽減し、空間の要求に応じて読み取り位置を調整できる。弾性力を使用して調整角度をサポートおよび固定し、画像の揺れやずれを防ぎ、読みやすい視覚効果と折り畳みの利便性を得る。本考案に使用される技術的手段は従来技術にないため、実用新案の新規性と進歩性の要件を有する。
【００４５】
本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００４６】
１      ベース
１１    支柱
２      アームセット
２１    第１アーム
２１０  第１シース
２１１  第１弾性モジュール
２２    第２アーム
２２０  第２シース
２２１  第２弾性モジュール
２３    第１回転軸セット
２４    第２回転軸セット
２４１  第３軸穴
２４２  第１ボルト
２５    第３回転軸セット
２５１  回転軸ソケット
２５２  水平ジョイント
２５３  水平軸穴
２５４  第２ボルト
３      フリップフレーム
３１    第４回転軸セット
３１１  第１ねじりバネ
３２    第５回転軸セット
３２１  第２ねじりバネ
３３    照明ランプ
４      反射モジュール
４１    反射シート    
４２    第１軸穴  
５      拡大モジュール
５１    拡大シート
５１１  第２軸穴
５２    バックル
５３    第１バネ
５４    ＵＳＢスロット
５５    回転軸シート
Ａ      ＵＳＢ電源コード
６１    ブラケット
６２    レンズ
６３    光源
６４    第１平面鏡
６５    分光鏡  
６５１  分光鏡ノブ
６６    凹面鏡
６７    第２平面鏡
６７１  第２平面鏡ノブ
６８    スクリーン
【図１】
0003225658.tif 000003
【図２】
0003225658.tif 000004
【図３】
0003225658.tif 000005
【図４】
0003225658.tif 000006
【図５】
0003225658.tif 000007
【図６】
0003225658.tif 000008
【図７】
0003225658.tif 000009
【図８】
0003225658.tif 000010
【手続補正書】
【提出日】令和2年1月16日(2020.1.16)
【手続補正１】
【補正対象書類名】実用新案登録請求の範囲
【補正対象項目名】全文
【補正方法】変更
【補正の内容】
【実用新案登録請求の範囲】
【請求項１】
一種の拡大表示装置であり、ベース、アームセット、フリップフレーム、反射モジュールおよび拡大モジュールを備え、
前記ベースは、その上部には支柱が設けられ、
前記アームセットは、第１アーム、第２アーム、第１回転軸セット、第２回転軸セット、および第３回転軸セットを含み、前記第１アームの一端は前記支柱の一端に連結され、前記第１アームの他端は前記第１回転軸セットに連結され、前記第２アームの一端は前記第２回転軸セットに連結され、前記第２アームの他端は前記第１回転軸セットに連結され、
前記第２回転軸セットは前記第３回転軸セットに枢動可能に接続され、
前記フリップフレームは第４回転軸セットと第５回転軸セットを含み、
前記反射モジュールは反射シートを含み、前記反射シートは投影画像を受け取り、前記投影画像を反射し、前記第４回転軸セットは、前記反射モジュールの一端に枢動可能に接続され、
前記拡大モジュールは拡大シートを含み、前記拡大シートは前記反射シートの反射画像を受け取り、前記反射画像を表示および拡大し、前記第５回転軸セットは、前記拡大モジュールの一端に枢動可能に接続され、前記第３回転軸セットは、前記拡大モジュールに枢動可能に接続されることを特徴とする、拡大表示装置。
【請求項２】
前記第１アームは、外側に第１シースをさらに備え、前記第２アームは、外側に第２シースをさらに備えていることを特徴とする、請求項１に記載の拡大表示装置。
【請求項３】
前記第４回転軸セットは第１ねじりバネを含み、前記第１ねじりバネは、前記反射モジュールを反転させる弾性力を提供し、前記第５回転軸セットは第２ねじりバネを含み、前記第２ねじりバネは前記フリップフレームを反転させる弾性力を提供することを特徴とする、請求項１に記載の拡大表示装置。
【請求項４】
前記拡大モジュールには第１バネが設けられ、前記第１バネの一端は前記拡大モジュールの背面に固定され、前記第１バネの他端は前記第３回転軸セットに固定され、前記第１バネは、角度を固定する弾性力を提供することを特徴とする、請求項１に記載の拡大表示装置。
【請求項５】
前記拡大モジュールにはバックルが付いており、前記バックルは前記反射モジュールと係合していることを特徴とする、請求項１に記載の拡大表示装置。
【請求項６】
前記第１アームは、第１弾性モジュールをさらに含み、前記第１弾性モジュールは、角度を固定する弾性力を提供することを特徴とする、請求項１に記載の拡大表示装置。
【請求項７】
前記第２アームは、第２弾性モジュールをさらに含み、前記第２弾性モジュールは、角度を固定する弾性力を提供することを特徴とする、請求項１に記載の拡大表示装置。
【請求項８】
前記第３回転軸セットは、回転軸ソケットを含み、前記回転軸ソケットには、水平ジョイントと水平軸穴が設けられ、前記水平ジョイントは、前記拡大モジュールの水平回転のための回転軸中心を形成し、前記第２回転軸セットに枢動可能に接続され、前記水平軸穴は、前記回転軸ソケットに枢動可能に接続されており、前記拡大モジュールの垂直方向の角度を調整する回転軸の中心を形成することを特徴とする、請求項１に記載の拡大表示装置。
【請求項９】
前記フリップフレームには照明ランプが設けられていることを特徴とする、請求項１に記載の拡大表示装置。
【請求項１０】
前記拡大モジュールには、照明に電力を供給するためのＵＳＢスロットが設けられていることを特徴とする、請求項１に記載の拡大表示装置。